(57)【要約】【課題】ポストや表札などを雨や紫外線から保護することができるとともに、デザイン的にも優れた支柱の屋根体を提供する。【解決手段】支柱１の上部に固定された支持具１０にパネル固着具１１を支持させ、パネル固着具１１に屋根パネル１２の基部を固着し、屋根パネル１２の先端側を上記支柱１に設けられた吊り具３０に、先端側が上に傾斜する状態で支持し、上記パネル固着具１１には、上記屋根パネル１２からの雨水を上記支持具１０に案内する案内部２４を形成するとともに、上記支持具１０には、案内された雨水を下方に案内する案内部１７を形成した。【選択図】図１
2006257800.tif 000002
【特許請求の範囲】
【請求項１】
支柱の上部に固定された支持具にパネル固着具を支持させ、パネル固着具に屋根パネルの基部を固着し、屋根パネルの先端側を上記支柱に設けられた吊り具に、先端側が上に傾斜する状態で支持し、上記パネル固着具には、上記屋根パネルからの雨水を上記支持具に案内する案内部を形成するとともに、上記支持具には、案内された雨水を下方に案内する案内部を形成したことを特徴とする支柱の屋根体。
【請求項２】
上記支持具に環状の受け溝を形成し、この受け溝上に上記パネル固着具を係合させて固定した、請求項１記載の支柱の屋根体。
【発明の詳細な説明】
【技術分野】
【０００１】
本発明は、支柱の上部に屋根パネルを設けてなる屋根体に関するものである。
【背景技術】
【０００２】
一般に、門柱や道路と敷地との境界に設けられた支柱に、ポストや表札やインターホンや照明器具を取り付ける例が知られている。
【０００３】
このように単に地面に立設されているだけでなく、１つ又はそれ以上の機能を有する門柱や支柱は便利であるが、従来のものはポストや表札が外気に晒されているので、紫外線の直射をうけたり、雨にぬれたりして表面が劣化しやすく、さびなどが発生して全体の外観が損なわれることがある。
【特許文献１】特開平９−２５６７６１号公報
【発明の開示】
【発明が解決しようとする課題】
【０００４】
これに対し、ポストや表札の上に屋根を設ける方式も考えられるが、門柱は人の身長と同じ程度の高さであるから、屋根を設けると、通行の邪魔になるほか、屋根の周縁から雨水が垂れ落ちて周囲が汚れるなどの問題がある。
【０００５】
最近は、上述のような機能支柱などの需要が高まっており、ポストや表札が雨や紫外線の影響を受けにくくなるような屋根体の開発が望まれていた。
【０００６】
本発明は上記問題点を解消し、通行の邪魔にならず、ポストや表札などを雨や紫外線から保護することができるとともに、デザイン的にも優れた支柱の屋根体を提供することをその課題とする。
【課題を解決するための手段】
【０００７】
前記課題を解決するため、請求項１に係る発明は、支柱の上部に固定された支持具にパネル固着具を支持させ、パネル固着具に屋根パネルの基部を固着し、屋根パネルの先端側を上記支柱に設けられた吊り具に、先端側が上に傾斜する状態で支持し、上記パネル固着具には、上記屋根パネルからの雨水を上記支持具に案内する案内部を形成するとともに、上記支持具には、案内された雨水を下方に案内する案内部を形成したことを特徴とする。
【０００８】
請求項２に係る発明は、上記支持具に環状の受け溝を形成し、この受け溝上に上記パネル固着具を係合させて固定したことを特徴とする。
【発明の効果】
【０００９】
請求項１に係る発明によれば、支柱自体に又は支柱の近傍に配置されたポスト、表札、インターホンなどは屋根パネルによって直射日光や雨水から保護される。また、傾斜した屋根パネルの上面に沿って流れた雨水はパネル固着具の案内部から支柱に固定された支持具に案内され、また支持具の案内部から下方に案内されるので、上記支持具の案内部の下方に樋を設けることにより、上記屋根パネルの雨水は集水されて樋から排出させることができる。したがって、雨水が効率的に処理され、周囲を汚すことがない。
【００１０】
また、支柱に屋根体を設けた例は従来なかったから、実用だけでなく、デザイン的にも優れている。
【００１１】
なお、同じ構成によって支柱の上下に屋根体を設けることができる。この場合、上部の屋根体の雨水はその支持具の案内部から下方に案内されるので、下部の屋根体の支持具で受けて排水することができる。したがって、屋根体を多段に配設しても、雨水を効率的に処理することができる。
【００１２】
請求項２に係る発明によれば、支持具に直接屋根パネルを固定するのではなく、支持具の環状受け溝上にパネル固着具を係合させた状態で屋根パネルを支持させる構成であるから、支柱に固定された支持具上にパネル固着具を自由な向きで取り付けることが可能である。したがって、屋根パネルの向きを自由に選択することができる。
【発明を実施するための最良の形態】
【００１３】
図１および図２において符号１は支柱を示す。この支柱１は円柱状で金属の押出型材からなり、外周面には長手方向に多数の凹凸条２が形成されている。また、支柱１の相対する側には全長に沿ってアリ溝３（図４参照）が形成されている。
【００１４】
上記支柱１には、ポスト４とインターホン５と表札６とが、それぞれ取付金具を介して取り付けられている。
【００１５】
次に、上記支柱１の上部には屋根体ａが取り付けられている。屋根体ａは、支持具１０とパネル固着具１１と屋根パネル１２とから構成されている。
【００１６】
支持具１０は図３に示されるように、上部が小径、下部が大径の略円筒形の筒部１３の上端の内周縁に上記支柱１の外周面に形成された凹凸条２に対応する凹凸部１４を形成し、下端の外周縁に断面Ｌ字形の縁１５を形成することで環状の受け溝１６を形成したもので、凹凸部１４は上記支柱１の凹凸条２に嵌合する大きさに形成されている。なお、上記受け溝１６の底部の一部には、雨水を下方に案内する開口部１７が形成されている。
【００１７】
上記支持具１０は、図４に示されるように、筒部の外側から挿通したボルト１８を上記支柱１のアリ溝３に配置されたネジ持ち１９に締め付けることによって固定されている。なお、支持具１０と支柱１との間の隙間はコーキング処理されている。また、開口部１７の下方には雨樋３４が接続されている。
【００１８】
パネル固着具１１は、図２および図５に示されるように、上端が傾斜した筒部２１とこの筒部２１の傾斜部に一体に張り出し形成された受け板部２２とから構成されている。上記筒部２１は支柱１の外径よりも大きく、上記支持具１０の受け溝１６に嵌合する程度の大きさに形成され、受け板部２２の周縁は屋根パネル１２に接続する取付縁２３と弧状の案内縁２４とによって構成され、案内縁２４は受け板部２２の面からわずかに起立形成され、後述のように受け板部２２に流れ落ちた雨水を上記筒部から支持具１０上に案内する案内部を構成している。取付縁２３に沿ってビス孔８が形成されている。受け板部２２は取付縁２３が上に傾くように形成されている。なお、取付縁２３は図５に示されるように、中央が低く、両端が高くなるように形成されている。
【００１９】
上記パネル固着具１１は図６に示されるように、支柱１の先端からスライドし、上記筒部２１を支持具１０の受け溝１６上に係合し、さらに上記筒部２１と受け溝１６の壁とがビス７で固定されている。なお、パネル固着具１１の筒部は支持具１０の受け溝１６に嵌合している状態なので、上記筒部２１は受け溝１６の周方向のどの位置にも自由に固定することができるから、受け板部２２の向きも自由に選択し、また変えることができる。
【００２０】
屋根パネル１２はアクリル板、ポリカーボネート等の合成樹脂板で、図２に示されるように、長だ円形状の一端部を切断したような形状をしている。基部の案内縁２４に沿ってビス孔９が形成されている。
【００２１】
上記屋根パネル１２は、図２及び図６に示されるように、その基部をパネル固着具１１の取付縁２３と重ね合わせ、両者のビス孔９、８に挿通されたビス２５でビス止め固定されている。これにより、屋根パネル１２は中心側が低く、両側が高くなるように取り付けられる。重ね合わせ部の間にはコーキングが施されている。また、屋根パネル１２の先端側は吊り具３０によって支持されている。
【００２２】
吊り具３０は支柱１に取り付けられた取付ブラケット３１と吊りアーム３２と屋根パネル１２の先端に取り付けられた自在ブラケット３３とから構成されている。取付ブラケット３１は円弧状に形成され、上面には円弧状の案内溝２７が形成されている。吊りアーム３２の一端は上記案内溝２７に沿って移動可能に取り付けられ、他端は自在ブラケット３３に取り付けられている。
【００２３】
上記構成によれば、屋根パネル１２は先端側が上になるように傾いた状態で支持され、またパネル固着具１１と吊り具３０の向きを変えることにより屋根パネル１２の向きもポスト４、表札６などの位置や風向きに応じて変えればよい。
【００２４】
以上の屋根体ａによれば、支柱１の下部に配置されたポスト４、表札６およびインターホン５は上記屋根パネル１２によって直射日光や雨水から保護される。また、傾斜した屋根パネル１２の上面に沿って流れた雨水は屋根パネル１２の傾斜に沿って基部側に流れ、そして図６に示されるように、パネル固着具１１の案内部（案内縁２４）から筒部２１の内側を通って支持具１０の受け溝１６に案内され、さらに受け溝１６に案内された雨水は受け溝１６に形成された案内部（開口部１７）から下方に案内されて雨樋３４に沿って流れ落ちるので、上記屋根パネル１２の雨水は集水されて樋から排出させることができる。したがって、雨水が効率的に処理され、周囲を汚すことがない。
【００２５】
また、支柱に屋根体を設けた例は従来なかったから、実用だけでなく、デザイン的にも優れている。
【００２６】
なお、支柱１の近傍の門柱に配置されたポスト４、表札６、インターホン５なども保護することができる。もちろん、支柱１を門柱として使用してもよい。門柱にした場合は門扉上もカバーすることができる。
【００２７】
次に、図７は上記屋根体ａの上にさらに同じ構成の屋根体ｂを互いに反対向きに配設した例で、屋根パネル１２の向きを互いに重複しないようにすることで保護面積を２倍にすることができる。また、この場合、上部の屋根体ｂの雨水はその支持具１０の案内部から流れ落ちて下部の屋根体ａの支持具１０に案内されるので、この支持具１０で受けて雨樋から排水することができる。したがって、屋根体ａを多段に配設しても、雨水を効率的に処理することができる。
【００２８】
なお、支柱１は上述の例のように多数の凹凸条が形成されているものに限定されない。円筒状の支柱に直接に支持具や取付ブラケットをビス止めしてもよい。
【図面の簡単な説明】
【００２９】
【図１】支柱の正面図である。
【図２】上記支柱の要部の分解斜視図である。
【図３】支持具の斜視図である。
【図４】支持具の取付状態を示す平面図である。
【図５】パネル固着具の平面図である。
【図６】支持具とパネル固着具と屋根パネルの取付状態説明図である。
【図７】屋根パネルを２枚取り付けた状態の正面図である。
【符号の説明】
【００３０】
１    支柱
１０  支持具
１１  パネル固着具
１２  屋根パネル
１７、２４  案内部
【図１】
2006257800.tif 000003
【図２】
2006257800.tif 000004
【図３】
2006257800.tif 000005
【図４】
2006257800.tif 000006
【図５】
2006257800.tif 000007
【図６】
2006257800.tif 000008
【図７】
2006257800.tif 000009